【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
ワイヤレス通信システムにおけるビームフォーミングの方法であって、
少なくとも２つのユーザ機器（ＵＥ）のビームフォーミング方向および信号対雑音比（ＳＮＲ）を決定することと、
前記少なくとも２つのＵＥの前記ビームフォーミング方向および前記ＳＮＲに基づいて、単一の通信ビームを介した同じ時間間隔中の前記少なくとも２つのＵＥとの通信をスケジュールするかどうかを決定することと、
前記単一の通信ビームを介した前記同じ時間間隔中の前記少なくとも２つのＵＥとの前記通信がスケジュールされるとき、
前記少なくとも２つのＵＥ間でそれぞれ帯域幅リソースを割り振ることと、
前記少なくとも２つのＵＥの前記ビームフォーミング方向を包含するように前記単一の通信ビームの幅をサイジングすることと、前記少なくとも２つのＵＥの前記ビームフォーミング方向は異なる、
前記サイジングされた単一の通信ビームを使用して、それぞれ割り振られた帯域幅リソースを介して前記同じ時間間隔中に前記少なくとも２つのＵＥのうちの１つまたは複数と通信することと
を備える、方法。
【請求項２】
前記通信することは、
前記少なくとも２つのＵＥのうちの前記１つまたは複数にダウンリンク信号を送信すること、または、
前記少なくとも２つのＵＥのうちの前記１つまたは複数からアップリンク信号を受信すること
のうちの少なくとも１つを備える、請求項１に記載の方法。
【請求項３】
前記単一の通信ビームを介した前記同じ時間間隔中の前記少なくとも２つのＵＥとの通信をスケジュールするかどうかを前記決定することは、
第１のＵＥの前記ビームフォーミング方向と第２のＵＥの前記ビームフォーミング方向との間の角度を測定することと、
前記第１のＵＥの第１のＳＮＲおよび前記第２のＵＥの第２のＳＮＲをＳＮＲしきい値と比較することと、
前記第１のＳＮＲおよび前記第２のＳＮＲが前記ＳＮＲしきい値よりも大きく、前記測定された角度が角度しきい値よりも小さいときに、前記単一の通信ビームを介した前記同じ時間間隔中の前記第１のＵＥおよび前記第２のＵＥとの通信をスケジュールすることを決定することと
を備える、請求項１に記載の方法。
【請求項４】
前記単一の通信ビームを介した前記同じ時間間隔中の前記少なくとも２つのＵＥとの通信をスケジュールするかどうかを前記決定することは、
第１のＵＥの前記ビームフォーミング方向と第２のＵＥの前記ビームフォーミング方向との間の角度を測定することと、
前記測定された角度が角度しきい値よりも小さいとき、
前記第１のＵＥおよび前記第２のＵＥが異なる通信ビームを介した異なる時間間隔中の通信のためにスケジュールされる場合に、前記第１のＵＥの第１のスペクトル効率および前記第２のＵＥの第２のスペクトル効率を決定することと、
前記第１のＵＥおよび前記第２のＵＥが前記単一の通信ビームを介した前記同じ時間間隔中の通信のためにスケジュールされる場合に、前記第１のＵＥの第３のスペクトル効率および前記第２のＵＥの第４のスペクトル効率を決定することと、
前記第１のＵＥの前記第３のスペクトル効率が前記第１のＵＥの前記第１のスペクトル効率よりも大きく、前記第２のＵＥの前記第４のスペクトル効率が前記第２のＵＥの前記第２のスペクトル効率よりも大きいときに、前記単一の通信ビームを介した前記同じ時間間隔中の前記第１のＵＥおよび前記第２のＵＥとの通信をスケジュールすることを決定することと
を備える、請求項１に記載の方法。
【請求項５】
前記第１のスペクトル効率は、前記第１のＵＥのＳＮＲに基づいて決定され、
前記第２のスペクトル効率は、前記第２のＵＥのＳＮＲに基づいて決定される、請求項４に記載の方法。
【請求項６】
前記第３のスペクトル効率は、
前記第１のＵＥのＳＮＲと、
前記第１のＵＥに割り当てられた電力のフラクションと、
前記第１のＵＥに割り当てられた帯域幅リソースのフラクションと、
前記単一の通信ビームの前記幅に起因した前記第１のＵＥのアレイ利得での損失と
のうちの少なくとも１つに基づいて決定され、
前記第４のスペクトル効率は、
前記第２のＵＥのＳＮＲと、
前記第２のＵＥに割り当てられた電力のフラクションと、
前記第２のＵＥに割り当てられた帯域幅リソースのフラクションと、
前記単一の通信ビームの前記幅に起因した前記第２のＵＥのアレイ利得での損失と
のうちの少なくとも１つに基づいて決定される、請求項４に記載の方法。
【請求項７】
前記単一の通信ビームの前記幅は、前記第３のスペクトル効率が前記第１のＵＥの前記第１のスペクトル効率よりも大きくなり、前記第４のスペクトル効率が前記第２のＵＥの前記第２のスペクトル効率よりも大きくなることを容易にするためにサイジングされる、請求項４に記載の方法。
【請求項８】
ワイヤレス通信システムにおけるビームフォーミングのための装置であって、
少なくとも２つのユーザ機器（ＵＥ）のビームフォーミング方向および信号対雑音比（ＳＮＲ）を決定するための手段と、
前記少なくとも２つのＵＥの前記ビームフォーミング方向および前記ＳＮＲに基づいて、単一の通信ビームを介した同じ時間間隔中の前記少なくとも２つのＵＥとの通信をスケジュールするかどうかを決定するための手段と、
前記単一の通信ビームを介した前記同じ時間間隔中の前記少なくとも２つのＵＥとの前記通信がスケジュールされるとき、
前記少なくとも２つのＵＥ間でそれぞれ帯域幅リソースを割り振るための手段と、
前記少なくとも２つのＵＥの前記ビームフォーミング方向を包含するように前記単一の通信ビームの幅をサイジングするための手段と、前記少なくとも２つのＵＥの前記ビームフォーミング方向は異なる、
前記サイジングされた単一の通信ビームを使用して、それぞれ割り振られた帯域幅リソースを介して前記同じ時間間隔中に前記少なくとも２つのＵＥのうちの１つまたは複数と通信するための手段と
を備える、装置。
【請求項９】
前記通信するための手段は、
前記少なくとも２つのＵＥのうちの前記１つまたは複数にダウンリンク信号を送信すること、または、
前記少なくとも２つのＵＥのうちの前記１つまたは複数からアップリンク信号を受信すること
のうちの少なくとも１つを行うように構成される、請求項８に記載の装置。
【請求項１０】
前記単一の通信ビームを介した前記同じ時間間隔中の前記少なくとも２つのＵＥとの通信をスケジュールするかどうかを前記決定するための手段は、
第１のＵＥの前記ビームフォーミング方向と第２のＵＥの前記ビームフォーミング方向との間の角度を測定することと、
前記第１のＵＥの第１のＳＮＲおよび前記第２のＵＥの第２のＳＮＲをＳＮＲしきい値と比較することと、
前記第１のＳＮＲおよび前記第２のＳＮＲが前記ＳＮＲしきい値よりも大きく、前記測定された角度が角度しきい値よりも小さいときに、前記単一の通信ビームを介した前記同じ時間間隔中の前記第１のＵＥおよび前記第２のＵＥとの通信をスケジュールすることを決定することと
を行うように構成される、請求項８に記載の装置。
【請求項１１】
前記単一の通信ビームを介した前記同じ時間間隔中の前記少なくとも２つのＵＥとの通信をスケジュールするかどうかを前記決定するための手段は、
第１のＵＥの前記ビームフォーミング方向と第２のＵＥの前記ビームフォーミング方向との間の角度を測定することと、
前記測定された角度が角度しきい値よりも小さいとき、
前記第１のＵＥおよび前記第２のＵＥが異なる通信ビームを介した異なる時間間隔中の通信のためにスケジュールされる場合に、前記第１のＵＥの第１のスペクトル効率および前記第２のＵＥの第２のスペクトル効率を決定することと、
前記第１のＵＥおよび前記第２のＵＥが前記単一の通信ビームを介した前記同じ時間間隔中の通信のためにスケジュールされる場合に、前記第１のＵＥの第３のスペクトル効率および前記第２のＵＥの第４のスペクトル効率を決定することと、
前記第１のＵＥの前記第３のスペクトル効率が前記第１のＵＥの前記第１のスペクトル効率よりも大きく、前記第２のＵＥの前記第４のスペクトル効率が前記第２のＵＥの前記第２のスペクトル効率よりも大きいときに、前記単一の通信ビームを介した前記同じ時間間隔中の前記第１のＵＥおよび前記第２のＵＥとの通信をスケジュールすることを決定することと
を行うように構成される、請求項８に記載の装置。
【請求項１２】
前記第１のスペクトル効率は、前記第１のＵＥのＳＮＲに基づいて決定され、
前記第２のスペクトル効率は、前記第２のＵＥのＳＮＲに基づいて決定される、請求項１１に記載の装置。
【請求項１３】
前記第３のスペクトル効率は、
前記第１のＵＥのＳＮＲと、
前記第１のＵＥに割り当てられた電力のフラクションと、
前記第１のＵＥに割り当てられた帯域幅リソースのフラクションと、
前記単一の通信ビームの前記幅に起因した前記第１のＵＥのアレイ利得での損失と
のうちの少なくとも１つに基づいて決定され、
前記第４のスペクトル効率は、
前記第２のＵＥのＳＮＲと、
前記第２のＵＥに割り当てられた電力のフラクションと、
前記第２のＵＥに割り当てられた帯域幅リソースのフラクションと、
前記単一の通信ビームの前記幅に起因した前記第２のＵＥのアレイ利得での損失と
のうちの少なくとも１つに基づいて決定される、請求項１１に記載の装置。
【請求項１４】
前記単一の通信ビームの前記幅は、前記第３のスペクトル効率が前記第１のＵＥの前記第１のスペクトル効率よりも大きくなり、前記第４のスペクトル効率が前記第２のＵＥの前記第２のスペクトル効率よりも大きくなることを容易にするためにサイジングされる、請求項１１に記載の装置。
【請求項１５】
コンピュータ可読媒体上に記憶されたコンピュータプログラム製品であって、少なくとも１つのプロセッサ上で実行されると、前記少なくとも１つのプロセッサに、
少なくとも２つのユーザ機器（ＵＥ）のビームフォーミング方向および信号対雑音比（ＳＮＲ）を決定することと、
前記少なくとも２つのＵＥの前記ビームフォーミング方向および前記ＳＮＲに基づいて、単一の通信ビームを介した同じ時間間隔中の前記少なくとも２つのＵＥとの通信をスケジュールするかどうかを決定することと、
前記単一の通信ビームを介した前記同じ時間間隔中の前記少なくとも２つのＵＥとの前記通信がスケジュールされるとき、
前記少なくとも２つのＵＥ間でそれぞれ帯域幅リソースを割り振ることと、
前記少なくとも２つのＵＥの前記ビームフォーミング方向を包含するように前記単一の通信ビームの幅をサイジングすることと、前記少なくとも２つのＵＥの前記ビームフォーミング方向は異なる、
前記サイジングされた単一の通信ビームを使用して、それぞれ割り振られた帯域幅リソースを介して前記同じ時間間隔中に前記少なくとも２つのＵＥのうちの１つまたは複数と通信することと
を行なわせるコードを備える、コンピュータプログラム製品。
【手続補正２】
【補正対象書類名】明細書
【補正対象項目名】００９２
【補正方法】変更
【補正の内容】
【００９２】
[00102]  先の説明は、いかなる当業者であっても、本明細書で説明された様々な態様を実施することを可能にするために提供される。これらの態様への様々な修正は、当業者にとって容易に明らかとなり、本明細書に定義された包括的な原理は、他の態様に適用され得る。このことから、特許請求の範囲は、本明細書に示された態様に限定されることを意図しないが、特許請求の範囲の文言と一致する全範囲を付与されるべきであり、ここにおいて、単数形での要素への言及は、そうであると具体的に記載されない限り、「１つおよび１つのみ」を意味することを意図せず、むしろ「１つまたは複数」を意味する。「例証的（exemplary）」という用語は、本明細書では、「例、事例、または例示としての役割を果たすこと」を意味するように使用される。「例証的」であるとして本明細書で説明されたいずれの態様も、他の態様よりも好ましいまたは有利であるとして必ずしも解釈されるべきではない。そうでないと具体的に記載されない限り、「何らかの／いくつかの／いくらかの（some）」という用語は、１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組み合わせ」のような組み合わせは、Ａ、Ｂ、および／またはＣの任意の組み合わせを含み、複数のＡ、複数のＢ、または複数のＣを含み得る。具体的には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣであり得、ここで、任意のそのような組み合わせは、Ａ、Ｂ、またはＣの１つまた複数のメンバを含み得る。当業者に知られているか、または後に知られることとなる、本開示全体を通じて説明された様々な態様の要素と構造的および機能的に同等な物は全て、参照によって本明細書に明確に組み込まれ、特許請求の範囲によって包含されることを意図する。その上、本明細書のどの開示も、そのような開示が特許請求の範囲に明示的に記載されているかどうかにかかわらず、公衆にささげることを意図しない。要素が「〜のための手段」というフレーズを使用して明確に記載されていない限り、どの請求項の要素もミーンズプラスファンクションとして解釈されるべきではない。
以下に本願発明の当初の特許請求の範囲に記載された発明を付記する。
［Ｃ１］  ワイヤレス通信システムにおけるビームフォーミングの方法であって、少なくとも２つのユーザ機器（ＵＥ）のビームフォーミング方向および信号対雑音比（ＳＮＲ）を決定することと、前記少なくとも２つのＵＥの前記ビームフォーミング方向および前記ＳＮＲに基づいて、単一の通信ビームを介した同じ時間間隔中の前記少なくとも２つのＵＥとの通信をスケジュールするかどうかを決定することと、前記単一の通信ビームを介した前記同じ時間間隔中の前記少なくとも２つのＵＥとの前記通信がスケジュールされるとき、前記少なくとも２つのＵＥ間でそれぞれ帯域幅リソースを割り振ることと、前記少なくとも２つのＵＥの前記ビームフォーミング方向を包含するように前記単一の通信ビームの幅をサイジングすることと、前記サイジングされた単一の通信ビームを使用して、それぞれ割り振られた帯域幅リソースを介して前記同じ時間間隔中に前記少なくとも２つのＵＥのうちの１つまたは複数と通信することとを備える、方法。
［Ｃ２］  前記通信することは、前記少なくとも２つのＵＥのうちの前記１つまたは複数にダウンリンク信号を送信すること、または、前記少なくとも２つのＵＥのうちの前記１つまたは複数からアップリンク信号を受信することのうちの少なくとも１つを備える、Ｃ１に記載の方法。
［Ｃ３］  前記単一の通信ビームを介した前記同じ時間間隔中の前記少なくとも２つのＵＥとの通信をスケジュールするかどうかを前記決定することは、第１のＵＥの前記ビームフォーミング方向と第２のＵＥの前記ビームフォーミング方向との間の角度を測定することと、前記第１のＵＥの第１のＳＮＲおよび前記第２のＵＥの第２のＳＮＲをＳＮＲしきい値と比較することと、前記第１のＳＮＲおよび前記第２のＳＮＲが前記ＳＮＲしきい値よりも大きく、前記測定された角度が角度しきい値よりも小さいときに、前記単一の通信ビームを介した前記同じ時間間隔中の前記第１のＵＥおよび前記第２のＵＥとの通信をスケジュールすることを決定することとを備える、Ｃ１に記載の方法。
［Ｃ４］  前記単一の通信ビームを介した前記同じ時間間隔中の前記少なくとも２つのＵＥとの通信をスケジュールするかどうかを前記決定することは、第１のＵＥの前記ビームフォーミング方向と第２のＵＥの前記ビームフォーミング方向との間の角度を測定することと、前記測定された角度が角度しきい値よりも小さいとき、前記第１のＵＥおよび前記第２のＵＥが異なる通信ビームを介した異なる時間間隔中の通信のためにスケジュールされる場合に、前記第１のＵＥの第１のスペクトル効率および前記第２のＵＥの第２のスペクトル効率を決定することと、前記第１のＵＥおよび前記第２のＵＥが前記単一の通信ビームを介した前記同じ時間間隔中の通信のためにスケジュールされる場合に、前記第１のＵＥの第３のスペクトル効率および前記第２のＵＥの第４のスペクトル効率を決定することと、前記第１のＵＥの前記第３のスペクトル効率が前記第１のＵＥの前記第１のスペクトル効率よりも大きく、前記第２のＵＥの前記第４のスペクトル効率が前記第２のＵＥの前記第２のスペクトル効率よりも大きいときに、前記単一の通信ビームを介した前記同じ時間間隔中の前記第１のＵＥおよび前記第２のＵＥとの通信をスケジュールすることを決定することとを備える、Ｃ１に記載の方法。
［Ｃ５］  前記第１のスペクトル効率は、前記第１のＵＥのＳＮＲに基づいて決定され、前記第２のスペクトル効率は、前記第２のＵＥのＳＮＲに基づいて決定される、Ｃ４に記載の方法。
［Ｃ６］  前記第３のスペクトル効率は、前記第１のＵＥのＳＮＲと、前記第１のＵＥに割り当てられた電力のフラクションと、前記第１のＵＥに割り当てられた帯域幅リソースのフラクションと、前記単一の通信ビームの前記幅に起因した前記第１のＵＥのアレイ利得での損失とのうちの少なくとも１つに基づいて決定され、前記第４のスペクトル効率は、前記第２のＵＥのＳＮＲと、前記第２のＵＥに割り当てられた電力のフラクションと、前記第２のＵＥに割り当てられた帯域幅リソースのフラクションと、前記単一の通信ビームの前記幅に起因した前記第２のＵＥのアレイ利得での損失とのうちの少なくとも１つに基づいて決定される、Ｃ４に記載の方法。
［Ｃ７］  前記単一の通信ビームの前記幅は、前記第３のスペクトル効率が前記第１のＵＥの前記第１のスペクトル効率よりも大きくなり、前記第４のスペクトル効率が前記第２のＵＥの前記第２のスペクトル効率よりも大きくなることを容易にするためにサイジングされる、Ｃ４に記載の方法。
［Ｃ８］  ワイヤレス通信システムにおけるビームフォーミングのための装置であって、少なくとも２つのユーザ機器（ＵＥ）のビームフォーミング方向および信号対雑音比（ＳＮＲ）を決定するための手段と、前記少なくとも２つのＵＥの前記ビームフォーミング方向および前記ＳＮＲに基づいて、単一の通信ビームを介した同じ時間間隔中の前記少なくとも２つのＵＥとの通信をスケジュールするかどうかを決定するための手段と、前記単一の通信ビームを介した前記同じ時間間隔中の前記少なくとも２つのＵＥとの前記通信がスケジュールされるとき、前記少なくとも２つのＵＥ間でそれぞれ帯域幅リソースを割り振るための手段と、前記少なくとも２つのＵＥの前記ビームフォーミング方向を包含するように前記単一の通信ビームの幅をサイジングするための手段と、前記サイジングされた単一の通信ビームを使用して、それぞれ割り振られた帯域幅リソースを介して前記同じ時間間隔中に前記少なくとも２つのＵＥのうちの１つまたは複数と通信するための手段とを備える、装置。
［Ｃ９］  前記通信するための手段は、前記少なくとも２つのＵＥのうちの前記１つまたは複数にダウンリンク信号を送信すること、または、前記少なくとも２つのＵＥのうちの前記１つまたは複数からアップリンク信号を受信することのうちの少なくとも１つを行うように構成される、Ｃ８に記載の装置。
［Ｃ１０］  前記単一の通信ビームを介した前記同じ時間間隔中の前記少なくとも２つのＵＥとの通信をスケジュールするかどうかを前記決定するための手段は、第１のＵＥの前記ビームフォーミング方向と第２のＵＥの前記ビームフォーミング方向との間の角度を測定することと、前記第１のＵＥの第１のＳＮＲおよび前記第２のＵＥの第２のＳＮＲをＳＮＲしきい値と比較することと、前記第１のＳＮＲおよび前記第２のＳＮＲが前記ＳＮＲしきい値よりも大きく、前記測定された角度が角度しきい値よりも小さいときに、前記単一の通信ビームを介した前記同じ時間間隔中の前記第１のＵＥおよび前記第２のＵＥとの通信をスケジュールすることを決定することとを行うように構成される、Ｃ８に記載の装置。
［Ｃ１１］  前記単一の通信ビームを介した前記同じ時間間隔中の前記少なくとも２つのＵＥとの通信をスケジュールするかどうかを前記決定するための手段は、第１のＵＥの前記ビームフォーミング方向と第２のＵＥの前記ビームフォーミング方向との間の角度を測定することと、前記測定された角度が角度しきい値よりも小さいとき、前記第１のＵＥおよび前記第２のＵＥが異なる通信ビームを介した異なる時間間隔中の通信のためにスケジュールされる場合に、前記第１のＵＥの第１のスペクトル効率および前記第２のＵＥの第２のスペクトル効率を決定することと、前記第１のＵＥおよび前記第２のＵＥが前記単一の通信ビームを介した前記同じ時間間隔中の通信のためにスケジュールされる場合に、前記第１のＵＥの第３のスペクトル効率および前記第２のＵＥの第４のスペクトル効率を決定することと、前記第１のＵＥの前記第３のスペクトル効率が前記第１のＵＥの前記第１のスペクトル効率よりも大きく、前記第２のＵＥの前記第４のスペクトル効率が前記第２のＵＥの前記第２のスペクトル効率よりも大きいときに、前記単一の通信ビームを介した前記同じ時間間隔中の前記第１のＵＥおよび前記第２のＵＥとの通信をスケジュールすることを決定することとを行うように構成される、Ｃ８に記載の装置。
［Ｃ１２］  前記第１のスペクトル効率は、前記第１のＵＥのＳＮＲに基づいて決定され、前記第２のスペクトル効率は、前記第２のＵＥのＳＮＲに基づいて決定される、Ｃ１１に記載の装置。
［Ｃ１３］  前記第３のスペクトル効率は、前記第１のＵＥのＳＮＲと、前記第１のＵＥに割り当てられた電力のフラクションと、前記第１のＵＥに割り当てられた帯域幅リソースのフラクションと、前記単一の通信ビームの前記幅に起因した前記第１のＵＥのアレイ利得での損失とのうちの少なくとも１つに基づいて決定され、前記第４のスペクトル効率は、前記第２のＵＥのＳＮＲと、前記第２のＵＥに割り当てられた電力のフラクションと、前記第２のＵＥに割り当てられた帯域幅リソースのフラクションと、前記単一の通信ビームの前記幅に起因した前記第２のＵＥのアレイ利得での損失とのうちの少なくとも１つに基づいて決定される、Ｃ１１に記載の装置。
［Ｃ１４］  前記単一の通信ビームの前記幅は、前記第３のスペクトル効率が前記第１のＵＥの前記第１のスペクトル効率よりも大きくなり、前記第４のスペクトル効率が前記第２のＵＥの前記第２のスペクトル効率よりも大きくなることを容易にするためにサイジングされる、Ｃ１１に記載の装置。
［Ｃ１５］  ワイヤレス通信システムにおけるビームフォーミングのための装置であって、メモリと、前記メモリに結合され、少なくとも２つのユーザ機器（ＵＥ）のビームフォーミング方向および信号対雑音比（ＳＮＲ）を決定することと、前記少なくとも２つのＵＥの前記ビームフォーミング方向および前記ＳＮＲに基づいて、単一の通信ビームを介した同じ時間間隔中の前記少なくとも２つのＵＥとの通信をスケジュールするかどうかを決定することと、前記単一の通信ビームを介した前記同じ時間間隔中の前記少なくとも２つのＵＥとの前記通信がスケジュールされるとき、前記少なくとも２つのＵＥ間でそれぞれ帯域幅リソースを割り振ることと、前記少なくとも２つのＵＥの前記ビームフォーミング方向を包含するように前記単一の通信ビームの幅をサイジングすることと、前記サイジングされた単一の通信ビームを使用して、それぞれ割り振られた帯域幅リソースを介して前記同じ時間間隔中に前記少なくとも２つのＵＥのうちの１つまたは複数と通信することとを行なうように構成された少なくとも１つのプロセッサとを備える、装置。
［Ｃ１６］  前記少なくとも１つのプロセッサは、前記少なくとも２つのＵＥのうちの前記１つまたは複数にダウンリンク信号を送信すること、または、前記少なくとも２つのＵＥのうちの前記１つまたは複数からアップリンク信号を受信することを行うことによって通信するように構成される、Ｃ１５に記載の装置。
［Ｃ１７］  前記少なくとも１つのプロセッサは、第１のＵＥの前記ビームフォーミング方向と第２のＵＥの前記ビームフォーミング方向との間の角度を測定することと、前記第１のＵＥの第１のＳＮＲおよび前記第２のＵＥの第２のＳＮＲをＳＮＲしきい値と比較することと、前記第１のＳＮＲおよび前記第２のＳＮＲが前記ＳＮＲしきい値よりも大きく、前記測定された角度が角度しきい値よりも小さいときに、前記単一の通信ビームを介した前記同じ時間間隔中の前記第１のＵＥおよび前記第２のＵＥとの通信をスケジュールすることを決定することとを行うことによって、前記単一の通信ビームを介した前記同じ時間間隔中の前記少なくとも２つのＵＥとの通信をスケジュールするかどうかを決定するように構成される、Ｃ１５に記載の装置。
［Ｃ１８］  前記少なくとも１つのプロセッサは、第１のＵＥの前記ビームフォーミング方向と第２のＵＥの前記ビームフォーミング方向との間の角度を測定することと、前記測定された角度が角度しきい値よりも小さいとき、前記第１のＵＥおよび前記第２のＵＥが異なる通信ビームを介した異なる時間間隔中の通信のためにスケジュールされる場合に、前記第１のＵＥの第１のスペクトル効率および前記第２のＵＥの第２のスペクトル効率を決定することと、前記第１のＵＥおよび前記第２のＵＥが前記単一の通信ビームを介した前記同じ時間間隔中の通信のためにスケジュールされる場合に、前記第１のＵＥの第３のスペクトル効率および前記第２のＵＥの第４のスペクトル効率を決定することと、前記第１のＵＥの前記第３のスペクトル効率が前記第１のＵＥの前記第１のスペクトル効率よりも大きく、前記第２のＵＥの前記第４のスペクトル効率が前記第２のＵＥの前記第２のスペクトル効率よりも大きいときに、前記単一の通信ビームを介した前記同じ時間間隔中の前記第１のＵＥおよび前記第２のＵＥとの通信をスケジュールすることを決定することとを行うことによって、前記単一の通信ビームを介した前記同じ時間間隔中の前記少なくとも２つのＵＥとの通信をスケジュールするかどうかを決定するように構成される、Ｃ１５に記載の装置。
［Ｃ１９］  前記第１のスペクトル効率は、前記第１のＵＥのＳＮＲに基づいて決定され、前記第２のスペクトル効率は、前記第２のＵＥのＳＮＲに基づいて決定される、Ｃ１８に記載の装置。
［Ｃ２０］  前記第３のスペクトル効率は、前記第１のＵＥのＳＮＲと、前記第１のＵＥに割り当てられた電力のフラクションと、前記第１のＵＥに割り当てられた帯域幅リソースのフラクションと、前記単一の通信ビームの前記幅に起因した前記第１のＵＥのアレイ利得での損失とのうちの少なくとも１つに基づいて決定され、前記第４のスペクトル効率は、前記第２のＵＥのＳＮＲと、前記第２のＵＥに割り当てられた電力のフラクションと、前記第２のＵＥに割り当てられた帯域幅リソースのフラクションと、前記単一の通信ビームの前記幅に起因した前記第２のＵＥのアレイ利得での損失とのうちの少なくとも１つに基づいて決定される、Ｃ１８に記載の装置。
［Ｃ２１］  前記単一の通信ビームの前記幅は、前記第３のスペクトル効率が前記第１のＵＥの前記第１のスペクトル効率よりも大きくなり、前記第４のスペクトル効率が前記第２のＵＥの前記第２のスペクトル効率よりも大きくなることを容易にするためにサイジングされる、Ｃ１８に記載の装置。
［Ｃ２２］  コンピュータ可読媒体上に記憶されたコンピュータプログラム製品であって、少なくとも１つのプロセッサ上で実行されると、前記少なくとも１つのプロセッサに、少なくとも２つのユーザ機器（ＵＥ）のビームフォーミング方向および信号対雑音比（ＳＮＲ）を決定することと、前記少なくとも２つのＵＥの前記ビームフォーミング方向および前記ＳＮＲに基づいて、単一の通信ビームを介した同じ時間間隔中の前記少なくとも２つのＵＥとの通信をスケジュールするかどうかを決定することと、前記単一の通信ビームを介した前記同じ時間間隔中の前記少なくとも２つのＵＥとの前記通信がスケジュールされるとき、前記少なくとも２つのＵＥ間でそれぞれ帯域幅リソースを割り振ることと、前記少なくとも２つのＵＥの前記ビームフォーミング方向を包含するように前記単一の通信ビームの幅をサイジングすることと、前記サイジングされた単一の通信ビームを使用して、それぞれ割り振られた帯域幅リソースを介して前記同じ時間間隔中に前記少なくとも２つのＵＥのうちの１つまたは複数と通信することとを行なわせるコードを備える、コンピュータプログラム製品。